(57)【要約】【課題】設営時間が短く、容易にホログラムの観察領域を調節でき、展示会の搬出入において邪魔にならないようコンパクトに収納することができる展示会に適したホログラム展示装置を提供する【解決手段】ホログラムＨに光を射出する照明器具１と、前記ホログラムＨを保持する保持部２１及び前記照明器具１を内部に格納する格納部２２を備えるボディ２と、前記照明器具１と前記ボディ２との間に介在し、前記照明器具１が光を射出する角度を調節可能なようにその照明器具を支持する支持機構３と、を設けた。【選択図】図１
2009069527.tif 000002
【特許請求の範囲】
【請求項１】
ホログラムに光を射出する照明器具と、
前記ホログラムを保持する保持部及び前記照明器具を内部に格納する格納部を備えるボディと、
前記照明器具と前記ボディとの間に介在し、前記照明器具が光を射出する角度を調節可能なようにその照明器具を支持する支持機構とを備えていることを特徴とするホログラム展示装置。
【請求項２】
前記支持機構がアームと、
前記アームと前記ボディとの間、又は、前記アームと前記照明器具との間のいずれかあるいは両方に設けられ、前記照明器具が光を射出する角度を調節可能な角度調節機構とを備える請求項１記載のホログラム展示装置。
【請求項３】
前記アームが伸縮可能なものである請求項１又は２いずれか記載のホログラム展示装置。
【請求項４】
前記ボディが前記ホログラムへの光の入射方向を制限する遮光フードを備えたものである請求項１乃至３いずれか記載のホログラム展示装置。
【請求項５】
前記照明器具の光を射出する角度を制御する制御部を備えたものである請求項１乃至４いずれか記載のホログラム展示装置。
【請求項６】
前記照明器具が１又は複数の半導体レーザを備えたものである請求項1乃至５いずれか記載のホログラム展示装置。
【請求項７】
前記照明器具が１又は複数のＬＥＤと備えたものである請求項１乃至５いずれか記載のホログラム展示装置。
【請求項８】
前記照明器具が片方の端面から光を導入し、もう一方の端面から光を射出する１又は複数の光ファイバを備えたものである請求項１乃至５いずれか記載のホログラム展示装置。
【請求項９】
前記照明器具が１又は複数のフレネルレンズを備えたものである請求項６乃至８いずれか記載のホログラム展示装置。
【発明の詳細な説明】
【技術分野】
【０００１】
本発明は、展示会等において会社のロゴ等のホログラムを展示する装置に関するものである。
【背景技術】
【０００２】
従来からホログラムは、視点や入射光に応じて観察画像が変化するという独特の視覚効果を生かして、商品の説明や販売促進用のディスプレイ等に用いられている。
【０００３】
しかしながら、ホログラムを展示するには、例えば特許文献１の図７に示されるようなホログラム展示装置では、展示会場の壁や天井等に照明器具を設営しなければならないため、設営時間がかかってしまう。さらに、壁や天井等に照明器具が設営されているため、照明器具の光を射出する角度を調節して、ホログラムの観察領域を調整することは難しい。
【０００４】
あるいは、特許文献１の図１等に示されるような、照明器具とホログラムを一体とし、調節の手間を省いたホログラムディスプレイ装置があるが、ホログラムと照明器具の位置が固定されているため、展示会において搬出入を行うときには大きな収納スペースを要することが問題になる。
【発明の開示】
【発明が解決しようとする課題】
【０００５】
本発明は以上のような問題点を鑑み、設営時間が短く、容易にホログラムの観察領域を調節でき、展示会の搬出入において邪魔にならないようコンパクトに収納することができる展示会に適したホログラム展示装置を提供することを目的とする。
【特許文献１】特開平１０−６３２１０号公報
【課題を解決するための手段】
【０００６】
すなわち、本願発明に係るホログラム展示装置は、ホログラムに光を射出する照明器具と、前記ホログラムを保持する保持部及び前記照明器具を内部に格納する格納部を備えるボディと、前記照明器具と前記ボディとの間に介在し、前記照明器具が光を射出する角度を調節可能なようにその照明器具を支持する支持機構とを備えていることを特徴とする。
【０００７】
このようなものであれば、ホログラム展示装置自体が照明器具を備えているので、展示会場の壁や天井などに照明器具を設営する必要が無く、設営時間を短縮することができる。また、照明器具がボディから支持されていて、かつ、照明器具が光を射出する角度を調節できるので、容易にホログラムの観察領域を調節することができる。さらに、ボディが照明器具を内部に格納する格納部を備えているので、例えば、展示会の搬出入時には、照明器具をボディの内部に格納することで、ホログラム展示装置全体をコンパクトに収納することができる。
【０００８】
簡単な構造で照明器具が光を射出する角度を容易に調節するためには、支持機構がアームと、アームとボディの間、またはアームと照明器具の間のいずれかあるいは両方に角度調節機構とを備えるものであるのが望ましい。
【０００９】
アームが伸縮可能なものであるならば、照明器具の位置調整を行うことができるとともに、照明器具をボディの格納部へ格納するときには、支持機構もコンパクトに収納することができる。
【００１０】
ボディがホログラムへの光の入射方向を制限する遮光フードを備えたものであるならば、展示会場の照明条件によってホログラムの視認性を損なわないようにすることができる。
【００１１】
ホログラム展示装置が、照明器具の光を射出する角度を制御する制御部を備えたものであるならば、観察者が視点を変えることなく、ホログラムの観察画像を変化させることができる。
【００１２】
照明器具が半導体レーザを備えたものであれば、ホログラムの再生光に適した波長の光を使用することができるので、光の利用効率が向上し、ホログラムの色再現性も向上する。
【００１３】
照明器具がＬＥＤを備えたものであれば、照明器具の光を射出する部分を小さくすることができる。また、ホログラムの再生光に適した波長を選択することができる。
【００１４】
照明器具が片方の端面から光を導入し、もう一方の端面から光を射出する光ファイバを備えたものであれば、照明器具の光を射出する部分を小さくできる。また、太陽光を光ファイバへ導光しホログラムに光を照射するものであれば、屋外でも使用することができる。
【００１５】
照明器具がレンズを備えたものであれば、照明領域を変化させることができる。
また、照明器具が複数の光源とレンズを備えたものであれば、ホログラムに対して高出力かつ大面積で平行光を射出することができる。
【発明の効果】
【００１６】
このように構成した本発明に係るホログラム展示装置は、短時間で設営でき、容易にホログラムの観察領域を調節してホログラムの展示を行うことができ、展示会の搬出入において邪魔にならないよう装置全体をコンパクトに収納することができる。
【発明を実施するための最良の形態】
【００１７】
以下、本発明の一実施形態を、図面を参照して説明する。
本実施形態に係るホログラム展示装置１００は、模式的な全体斜視図を図１に示すように、ホログラムＨに光を射出する照明器具１と、前記ホログラムＨを保持する保持部２１及び前記照明器具１を内部に格納する格納部２２を備えるボディ２と、前記照明器具１と前記ボディ２との間に介在し、前記照明器具１の光を射出する角度を調整可能なようにその照明器具１を支持する支持機構３とを備えたものであり、図２に示されるように、例えば、展示会において展示パネルＥに設置され、会社のロゴなどのホログラムＨを展示することで集客効果を高めるために用いられる。
【００１８】
各部を説明する。ホログラムＨは、例えば、薄いシート状の長方形であるリップマンホログラムなどの反射型のホログラムである。
【００１９】
照明器具１は、半導体レーザ１を用いたものであり、例えば、前記ホログラムＨに略対向する位置から光を射出し、前記ホログラムＨに対してのみ光を射出できる範囲においてだけスイッチが入るように構成されている。
【００２０】
ボディ２は、図１等に示すように、直方体形状の保持部２１と、前記保持部２１の上面に形成された格納部２２と、前記保持部２１の上面と側面から突出させた遮光フード２３を備えるものである。
【００２１】
保持部２１は、その前面にホログラムＨを保持する。例えば、接着剤や接着テープなどを用いることによってホログラムＨを固定しても構わない。また、ホログラムＨの前面にさらにアクリル板やガラス板のような透明板Ａを設けることで保護部材としてもよい。
【００２２】
格納部２２は、例えば、前記照明器具１を格納できるように、その照明器具１と同形状の溝であればよい。
【００２３】
遮光フード２３は、前記ホログラムＨの上方と側方を囲み、ホログラムＨに入射する光の方向を制限する。
【００２４】
前記支持機構３はアーム３１と、角度調節機構３２とを備えている。角度調節機構３２は前記アーム３１と前記ボディ２との間及び前記アーム３１と前記照明器具１との間に設けられている。
【００２５】
前記アーム３１は、例えば、伸縮可能なものであり、図１、３、４に示すような筒状体が複数入れ子になった、テレスコピック構造を有するものである。
【００２６】
前記角度調節機構３２は、例えば、軸３２１と穴３２２とからなり、適度な嵌め合いにすることによって接続される部材同士を回動可能に固定するものである。本実施形態では軸３２１はボディ２と照明器具１に設けられ、穴３２２は支持機構３に設けている。もちろん、この関係は逆であっても良い。また、軸３２１と穴３２２にホログラム展示装置１００の設営位置と格納位置を記す目盛りなどを付しても良い。
【００２７】
次に、本発明に係るホログラム展示装置１００の設営、格納について説明する。
ホログラムＨの展示を行う場合には、作業者は、図４に示す照明器具が格納された状態から、図３に示すように前記アーム３１を所定の長さに伸ばし、図１のように前記アーム３１がホログラムＨに対して垂直になるまでそのアーム３１を回転させる。照明器具１の位置決めが終了した後に、作業者は、図１のようにアーム３１と照明器具１との間の角度調節機構３２によって、前記照明器具１の光の射出方向を所望の角度に調節する。
【００２８】
展示会等で搬出入を行う時等には、作業者は、図３に示すように前記アーム３１がホログラムＨに対して平行になるようにアーム３１を回転させて、照明器具１が格納部２２に入るように向きを変更し、アーム３１を縮めることで、図４のように照明器具１を格納部２２に格納する。
【００２９】
このように、本発明に係るホログラム展示装置１００は、短時間で設営でき、容易にホログラムＨの観察領域を調節してホログラムＨの展示を行うことができ、展示会等の搬出入において邪魔にならないよう装置全体をコンパクトに収納することができる。
【００３０】
照明器具１が半導体レーザ１を用いたものであるので、ホログラムＨを作成するときに用いた参照光の波長に近い光を再生光として照射することができ、光の利用効率が向上し、さらに、ホログラムＨの色再現性も向上する。また、ホログラムＨに対してのみ光を照射できる範囲だけでスイッチが入るように構成されているので、レーザが人の目に直接入る危険性を排除することができる。
【００３１】
ボディ２が遮光フード２３を備えているので、例えば、展示会場の天井からの照明によってホログラムHの視認性が損なわれるのを防ぐことができる。
【００３２】
また、図４に示すように、アーム３１がテレスコピック構造であり、角度調節機構３２があるので、支持機構３も無理なくコンパクトに収納することができる。
【００３３】
なお、本発明は前記実施形態に限られるものではない。以下に示す説明及び図において、前記実施形態に対応する部材には同一の符号を付すこととする。また、図９、図１０に記載されているホログラム展示装置１００においては説明を分かりやすくするために、図１などに記載されている遮光フード２３を省略しているが、もちろん、遮光フード２３を備えたものであってもよい。
【００３４】
図５に示すように照明器具１が、例えば、ＬＥＤ６１とフレネルレンズ７１とを備えたものであっても構わない。この場合、ＬＥＤ６１をレンズの焦点距離に配置することによって、照明光は平行光となり、照明器具１はホログラムに対して平行光を射出することができる。ホログラムＨに対して平行光を射出することができるので、照明器具１をホログラムＨに近接して配置することができる。また、図６のように、ＬＥＤ６１とフレネルレンズ７１の位置を調節することにより照明領域ＲＡを変化させることができるので、ホログラムの大きさが異なる場合でも最適な照明を行うことができる。さらに、図７に示すように照明器具１がＬＥＤ６１を複数並べたＬＥＤアレイ６とフレネルレンズ７１を複数並べたレンズアレイ７とを備えたものであっても構わない。この場合、照明器具１はホログラムＨに対して、大出力かつ大面積な平行光を射出できる。
【００３５】
図８に示すように、照明器具１が片方の端面から光を導入し、もう片方の端面から光を射出する光ファイバ８を備えたものであっても構わない。例えば、光を導入する光源９を保持部２１の内部に設置するなどして、照明器具１の光を射出する部分のサイズを小さくすることができる。また、例えば、保持部２１の上面に光ファイバの端面を設けて採光することで、太陽光を光ファイバへ導光してホログラムＨに光を照射することができるので、屋外でも使用することができる。
【００３６】
もちろん、照明器具１が半導体レーザ１あるいは光ファイバ８を備えている場合にもフレネルレンズ７１を使用しても構わない。
【００３７】
図９に示すように保持部２１がホログラムＨの取り付け角度を、例えば、蝶番Ｃによって調節できるようにしてもよい。この場合、照明器具１の位置及び角度を固定したまま、ホログラムＨに入射する光の角度を調節することができる。
【００３８】
図１０に示すように、保持部２１の前面が水平になるように、保持部２１の後面を下向きにしてホログラム展示装置１００を設置し、上方向からホログラムＨを照明しても構わない。この場合、卓上においてホログラムＨを展示し、観察者Ｍは上方向から画像を観察することができる。
【００３９】
さらに、例えば、図１１に示すようにホログラム展示装置１００が照明器具１の光を射出する角度を制御する制御部４を備えていても構わない。前記制御部４はホログラムＨの観察領域が変化するように光の射出位置及び角度を調節する指令を出すことが考えられる。この場合、ホログラムＨに記録された三次元画像の再生方向が変化するため、観察者Ｍは自分の視点を変えなくても、観察される画像が異なる画像に変わって見える、または、観察している画像を違う方向から見ているように見える。この結果、観察者Ｍに対して驚きを与えたりや興味を抱かせりすることができるので、展示会の出展などでさらに集客効果を高めることができる。光の射出角度の制御については、観察者Ｍの立つ位置によって光の射出角度を変化させることが考えられる。また、この制御は全く人が係らないようにしてもよいし、観察者Ｍがスイッチを押すことで画像が変化するようにしてもよい。さらに、観察者Ｍが近づいたことを検知して、例えば、画像の変化に合わせて音が出る、あるいは、音声による説明などが行われるようにしても構わない。
【００４０】
その他、本発明は前記図示例や実施形態に限られず、その主旨を逸脱しない範囲で種々の変形が可能である。
【図面の簡単な説明】
【００４１】
【図１】本発明の一実施形態におけるホログラム展示装置のホログラムを展示している状態を示す模式的斜視図。
【図２】本発明の一実施形態におけるホログラム展示装置の使用例を示す概観図
【図３】本発明の一実施形態におけるホログラム展示装置の設営又は格納動作を示す模式的斜視図。
【図４】本発明の一実施形態におけるホログラム展示装置の格納状態を示す模式的斜視図。
【図５】本発明の別の実施形態における照明器具の模式図。
【図６】本発明のさらに別の実施形態における照明器具の模式図。
【図７】本発明のさらに別の実施形態における照明器具の模式図。
【図８】本発明のさらに別の実施形態におけるホログラム展示装置の模式的斜視図。
【図９】本発明のさらに別の実施形態におけるホログラム展示装置の模式的側面図。
【図１０】本発明のさらに別の実施形態の卓上におけるホログラム展示装置の模式的側面図。
【図１１】本発明のさらに別の実施形態におけるホログラム展示装置の模式的斜視図。
【符号の説明】
【００４２】
１００・・・ホログラム展示装置
１・・・・・照明器具、半導体レーザ
２・・・・・ボディ
２１・・・・保持部
２２・・・・格納部
２３・・・・遮光フード
３・・・・・支持機構
３１・・・・アーム
３２・・・・角度調節機構
４・・・・・制御部
６１・・・・ＬＥＤ
７１・・・・フレネルレンズ
Ｈ・・・・・ホログラム
【図１】
2009069527.tif 000003
【図２】
2009069527.tif 000004
【図３】
2009069527.tif 000005
【図４】
2009069527.tif 000006
【図５】
2009069527.tif 000007
【図６】
2009069527.tif 000008
【図７】
2009069527.tif 000009
【図８】
2009069527.tif 000010
【図９】
2009069527.tif 000011
【図１０】
2009069527.tif 000012
【図１１】
2009069527.tif 000013